(57)【要約】【課題】主に家庭で使用される空気清浄装置において、低圧力損失のフィルタユニットを備えた場合に、効率の向上と騒音を低減させ、かつ本体の小型化を目的とする。【解決手段】低圧力損失のフィルタユニット１０２を備えた空気清浄装置において、大風量かつ低静圧時の運転に適したクロスフローファン１を用い、このクロスフローファンの軸が床面３とほぼ垂直に備えられ、高さ方向に縦長にすることにより、高効率、低騒音かつ底面寸法の小さな小型化された空気清浄装置が得られる。【選択図】図６ 
2005098610.tif 000002
【特許請求の範囲】
【請求項１】
クロスフローファンと、このクロスフローファンを囲むケーシングと、前記クロスフローファンを回転させるモータと、フィルタユニットとから構成された空気清浄装置であって、前記クロスフローファンの軸が、床面とほぼ垂直に備えられ、高さ方向に縦長であることを特徴とした空気清浄装置。
【請求項２】
モータをクロスフローファンの下方に配置することを特徴とした請求項１記載の空気清浄装置。
【請求項３】
壁取付け部材との係合部を設け、壁掛け可能としたことを特徴とする請求項１または２記載の記載の空気清浄装置。
【請求項４】
クロスフローファンの吹出し方向が、室内壁面以外の方向に向いていることを特徴とした請求項１〜３のいずれかに記載の空気清浄装置。
【請求項５】
クロスフローファンの吹出口が、本体正面に向かって側面部片側、または両側に備えられたことを特徴とした請求項1〜４のいずれかに記載の空気清浄装置。
【請求項６】
フィルタユニットがクロスフローファンの外周円と同方向に湾曲していることを特徴とした請求項１〜５のいずれかに記載の空気清浄装置。
【請求項７】
フィルタユニットが複数の平面形状で構成され、かつクロスフローファンの外周円と同方向へ屈折していることを特徴とした請求項１〜５のいずれかに記載の空気清浄装置。
【請求項８】
本体前面にパネルを備え、このパネルと本体との隙間から空気を吸込む構造であることを特徴とした請求項１〜７のいずれかに記載の空気清浄装置。
【請求項９】
クロスフローファンの上流側にフィルタユニットを備えた空気清浄装置であって、湾曲、または屈折したパネルをフィルタユニットの上流側に備え、かつ前記パネルの曲率、屈折率がフィルタの曲率、屈折率より大きいか、またはクロスフローファン外周円と逆方向へ湾曲していることを特徴とした請求項１〜７のいずれかに記載の空気清浄装置。
【請求項１０】
本体前面のパネルの面上に１つ、または２つ以上の貫通穴を有することを特徴とした、請求項８または９記載の空気清浄装置。
【発明の詳細な説明】
【技術分野】
【０００１】
本発明は、一般家庭または業務用に使用される床置型の空気清浄装置に関する。
【背景技術】
【０００２】
従来、この種の空気清浄装置では、送風機としてシロッコファンが搭載されたものが知られている（例えば、特許文献１参照）。
【０００３】
以下、その空気清浄装置について図１１の側断面図を参照しながら説明する。
【０００４】
図１１に示すように、吸込面１０６を正面とした、前面パネル１０１と、フィルタユニット１０２と、モータ１０３と、送風機であるシロッコファン１０４と、これらを保持し、かつ吹出口１０７とシロッコファンケーシングを有する本体外郭１０５とからなる。一般的に高集塵効率のフィルタユニット１０２は圧力損失が大きいため、静圧を大きくとれるシロッコファン１０４を備えている。
【０００５】
また、この種の空気清浄装置にはフィルタユニットに静電気などの電気的なエネルギを利用して高集塵効率かつ低圧力損失のものもある（例えば、特許文献２参照）。
【特許文献１】特開２００２−１０２３２７号公報（第８図）
【特許文献２】特開２００１-２５９３２０号公報
【発明の開示】
【発明が解決しようとする課題】
【０００６】
このような従来の空気清浄装置では、低圧力損失のフィルタユニット装着時にもシロッコファンを用いる為、よりよい効率で運転できる可能性があり、効率向上による消費電力の低減と、送風路から発生する騒音の低減が要求されている。また、居室内空間を有効に利用するために、本体の小型化が要求されている。
【０００７】
本発明は、このような従来の課題を解決するものであり、効率を改善し消費電力と騒音を低減することができ、また、底面積の小さい床置型の空気清浄装置を提供することを目的としている。
【課題を解決するための手段】
【０００８】
本発明の空気清浄装置は上記目的を達成するために、請求項１記載の通り、特に低圧力損失フィルタユニット装着時にクロスフローファンを用いたもので、さらにクロスフローファンの軸を床面とほぼ垂直にしたものである。
【０００９】
この手段により効率を改善し消費電力と騒音を低減することができ、さらに縦長であって底面積を小さくしたことにより、室内空間を有効に利用できる床置型の空気清浄装置が得られる。
【００１０】
また、請求項２記載の空気清浄装置は、重量の大きいモータを下方に配置したものである。
【００１１】
この手段により本体の重心が下部に移り、安定性が向上して倒れにくい空気清浄装置が得られる。
【００１２】
また、請求項３記載の空気清浄装置は、壁掛け部材との係合部を設けて壁掛けを可能にしたものである。
【００１３】
この手段により、必要な時に室内床面にスペースを作ることができ、室内空間を有効に利用できる空気清浄装置が得られる。
【００１４】
また、請求項４記載の空気清浄装置では、空気の噴出し方向が壁面とは異なる方向に吹出す構造としたものである。
【００１５】
この手段により、空気清浄装置が部屋壁面付近に設置される場合の、空気の流れによる摩擦などからおこる壁面汚れを防止することができる空気清浄装置が得られる。
【００１６】
また、請求項５記載の空気清浄装置では、吹出口を壁面と垂直な本体側面に設けたものである。
【００１７】
この手段により、吹出し方向を壁面と平行方向、または平行方向でやや前方へ向け、室内の水平面方向にの循環を容易にし、かつ本体前方でのドラフト感を軽減できる空気清浄装置が得られる。
【００１８】
また、請求項６記載の空気清浄装置は、フィルタユニットをクロスフローファンの外周円と同方向に湾曲させるたものである。
【００１９】
この手段によりフィルタユニットがクロスフローファンに沿った形状となり外形寸法を小さくできる。また、湾曲形状によりフィルタユニットの表面積を大きくすることも可能となり、通過風速が低下し圧力損失が低下するため、効率向上、騒音低減を可能とする空気清浄装置が得られる。
【００２０】
また、請求項７記載の空気清浄装置は、フィルタユニットを湾曲させたときにフィルタユニットの能力が悪化する場合に、複数の平面形状でクロスフローファンの外周円と同方向へ屈折させたものである。
【００２１】
この手段によりクロスフローファンに沿った形状となり外形寸法を小さくできる。また、屈折形状によりフィルタユニットの表面積を大きくすることも可能となり、通過風速が低下し圧力損失が低下するため、効率向上、騒音低減を可能とする空気清浄装置が得られる。
【００２２】
また、請求項８記載の空気清浄装置は、前面パネルを配置したものである。
【００２３】
この手段により遮音効果による騒音低減と、フィルタユニットへの前面からの障害となりフィルタユニットを保護できる空気清浄装置が得られる。
【００２４】
また、請求項９記載の空気清浄装置は、湾曲、または屈折したパネルをフィルタユニットの上流側に備え、かつ前記パネルの曲率、屈折率がフィルタの曲率、屈折率より大きいか、またはクロスフローファン外周円と逆方向へ湾曲しているものである。
【００２５】
この手段により流量の少ないフィルタユニットの中心部付近で、フィルタユニットと前面パネルとの距離が最短となり、流量が少ないために最短距離部を縮めることができ、中心部付近のフィルタユニットと前面パネルとの距離が一定、または中心部付近での距離が最長のものよりも、本体厚みの小さい空気清浄装置が得られる。
【００２６】
また、請求項１０記載の空気清浄装置は、本体前面のパネルの面上に１つ、または２つ以上の貫通穴を有するものである。
【００２７】
この手段により、空気は本体正面からも流入し流入面積が大きくなるため、空気の取込みが容易となり効率向上と騒音低減を可能とする空気清浄装置が得られる。
【発明の効果】
【００２８】
本発明によれば低圧損フィルタユニットを装着した場合に、床面とほぼ垂直にしたクロスフローファンを用いることにより、効率が向上され騒音の低減された、底面積の小さい床置型空気清浄装置を提供できる。
【００２９】
また、フィルタユニットの取付け構造により、機内圧損の低減、しいては効率向上と騒音低減の効果のある床置型空気清浄装置を提供できる。
【００３０】
また、前面パネル形状とフィルタユニットとの取付け構造との組合せにより、本体厚みを小さくできる床置型空気清浄装置を提供できる。
【発明を実施するための最良の形態】
【００３１】
本発明の請求項１記載の発明は、空気清浄装置にクロスフローファンを用いて室内床面とほぼ垂直に備えつけたものであり、機内圧力損失の低減、騒音の低減、水平方向の小型化という作用を有する。
【００３２】
また、モータをクロスフローファンの下方に配置することを特徴としたものであり、重心が本体下部に移り、倒れにくいという作用を有する。
【００３３】
また、取付け部材との係合部を設け、壁掛け可能としたことを特徴としたものであり、必要な時に床面にスペースを作ることができるという作用を有する。
【００３４】
また、クロスフローファンの吹出し方向が、室内壁面以外の方向に向いていることを特徴としたものであり、空気の流れによる摩擦などからおこる壁面汚れを防止するという作用を有する。
【００３５】
また、クロスフローファンの吹出口が、本体正面向かって側面部片側、または両側に備えられたことを特徴としたものであり、室内水平面方向への循環をしやすくし、かつ本体前方でのドラフト感を軽減できるという作用を有する。
【００３６】
また、フィルタユニットがクロスフローファンの外周円と同方向に湾曲していることを特徴としたものであり、本体の小型化が可能となり、また、フィルタユニットの表面積を拡大することでフィルタユニットの通過面風速が低下し、機内圧損が小さくなり、効率向上と騒音低減につながる作用を有する。
【００３７】
また、湾曲することによりフィルタユニットの能力が悪化する場合には、フィルタユニットを複数平面で構成し、かつクロスフローファンの外周円と同方向に屈折していることを特徴としたものであり、本体の小型化が可能となり、また、フィルタユニットの表面積を拡大することでフィルタユニットの通過面の風速が低下し、機内圧損が小さくなり、効率向上と騒音低減につながる作用を有する。
【００３８】
また、本体前面にパネルを配置し、パネル外周の本体との隙間から空気を吸込む構造であることを特徴としたものであり、遮音効果による騒音低減と、フィルタユニットへの前面からの障害となりフィルタユニットを保護するという作用を有する。
【００３９】
また、クロスフローファンの上流側にフィルタユニットを備えており、フィルタユニットの上流側に湾曲、または屈折したパネルを、フィルタユニットの曲率より大きいか、またはクロスフローファンの外周円と逆方向へ湾曲していることを特徴としたものである。パネルの外周から吸い込まれた空気は、フィルタユニットに吸引されながら中心付近に向かい、フィルタユニットと前面パネルの隙間での流量が減少するが、前面パネルを湾曲させることで中央部付近での隙間距離を短く取ることができ、特に湾曲、または屈折したフィルタユニットの装着時には、前面パネル中央付近での隙間の最小個所をさらに小さくできるという作用を有する。
【００４０】
また、本体前面のパネル面上に１つ、または２つ以上の貫通穴を有することを特徴としたものであり、空気を正面からも流入させ取込みが容易になり、更なる効率向上、騒音低減が図れるという作用を有する。
【００４１】
以下、本発明の実施の形態について図面を参照しながら説明する。なお、従来例と同一の部分については、同一番号を付し詳細な説明は省略する。
【００４２】
（実施の形態１）
図１および図2は、実施の形態１の空気清浄装置の側断面図、上断面図であって、本体外郭１０５の内部に、クロスフローファン軸２と床面３がほぼ垂直となるように配置されたクロスフローファン１と、クロスフローファン軸２と同軸上の下方にクロスフローファン１を作動させるモータ１０３を備え、クロスフローファン１の上流側の本体外郭内風路途中に機械的または電気的に集塵、脱臭、浄化、またはこれら複数の効果を持つ低圧力損失のフィルタユニット１０２を備えた構成となっている。
【００４３】
フィルタユニット１０２と外郭１０５との接合は、例えば螺子や爪を設けて取り外し可能とし、フィルタユニットの交換、洗浄が容易にできる構造とする。フィルタユニット１０２が軟らかい場合には、例えばフィルタユニットに樹脂枠や金属枠を取付けて、螺子穴または爪を備える。
【００４４】
上記構成において、クロスフローファン１が作動すると、フィルタユニット１０２下流側が負圧となり、吸込面１０６から空気が吸引される。吸引された空気はフィルタユニット１０２を通過するが、ここでの圧力損失が小さいため、低静圧時の運転に適したクロスフローファン１を用いることにより、低圧力損失フィルタユニット１０２を搭載した場合に効率の向上と騒音の低減が可能となる。
【００４５】
また、クロスフローファン軸２と床面３がほぼ垂直になるようにクロスフローファン１を配置し、空気清浄装置の上方空間を利用して高さ方向に長くし、底面積を小さくすることによって、水平方向に小型化できるので、室内空間を有効に利用できるようになる。
【００４６】
（実施の形態２）
図３および図４は、実施の形態２の空気清浄装置の側断面図、上断面図であって、実施の形態１とほぼ同一であり、フィルタユニット１０２を湾曲形状にし、フィルタユニット１０２上流側に平面の前面パネル１０１を設けた構成となっている。さらに、吸込面１０６を正面とした本体外郭背面に、壁取付け部材５に引掛けるための壁取付け部材との係合部４を設けている。
【００４７】
上記構成において、フィルタユニット１０２が湾曲形状であるため、本体の小型化と、フィルタユニット１０２の表面積を拡大し通過速度をおとしたことによる騒音低減とが可能となる。さらに、側面から吸込まれた空気は、フィルタユニット１０２に部分的に吸引され流量を減らしながら本体中心付近に向かっていくが、流量に合わせて前面パネル１０１とフィルタユニット１０２の隙間を本体中心に向かうにつれて縮小させて隙間の最小距離を小さくすることで、本体厚み寸法を縮小でき本体を小型化できる。
【００４８】
また、前面パネル１０１を設けることにより、正面音に対する遮音効果とフィルタユニット１０２の保護効果が得られ、壁掛け部材５を室内壁面に螺子などにとりつけ、本体に係合部を設けることにより、室内床面を広く利用したい場合に、空気清浄装置を床面から浮かせることが出来る。
【００４９】
また、図5は実施の形態２におけるフィルタユニット１０２の斜視図であって、フィルタユニット１０２は2次元的な湾曲形状をしているが、3次元的な湾曲形状でも良い。
【００５０】
（実施の形態３）
図６および図７は、実施の形態３の空気清浄装置の側断面図、上断面図であって、実施の形態１とほぼ同一であり、フィルタユニット１０２を２平面からなる屈折させた形状とし、フィルタユニット１０２上流側に本体中心部付近でフィルタユニット１０２との隙間の距離が最小となるようにフィルタユニットの屈折と同方向に湾曲した前面パネル１０１を設けた構成となっており、また、フィルタユニット中央付近部分に位置決めと固定のために、フィルタユニット支持部７を備えている。
【００５１】
上記構成において、フィルタユニット１０２上流側にフィルタユニット１０２の屈折率よりも大きい曲率で湾曲した前面パネル１０１により、遮音の効果とフィルタユニット１０２の保護効果と、屈折形状による本体の小型化と、フィルタユニット１０２の表面積を拡大し通過の速度を落としたことによる騒音低減が可能となる。また、屈折形状、あるいは湾曲形状のフィルタユニット１０２と同時に配置することで、側面から吸込まれた空気が本体中心付近に向かうに従って減少するといった、流量に相当した前面パネル１０１とフィルタユニット１０２との隙間となり、この隙間の最小距離を小さくすることができ本体を小型化できる。
【００５２】
また、図８は、実施の形態3におけるフィルタユニット１０２の斜視図であって、、フィルタユニット１０２は2平面を水平方向へ屈折させた形状であるが、３平面かそれ以上の平面を例えば水平方向の一方向へ屈折させた形状でも同一の効果が得られ、また、垂直方向への屈折と水平方向への屈折をさせたような3次元的な屈折形状でも有効である。
【００５３】
（実施の形態４）
図９および図１０は、実施の形態４の空気清浄装置の側断面図、上断面図であって、実施の形態１とほぼ同一であり、前面パネル１０１がフィルタユニット１０２の上流側に配置され本体中心部付近でフィルタユニット１０２との隙間の距離が最小となるようにフィルタユニットの屈折と逆方向に湾曲し、面上に複数の穴を有する構成となっている。
【００５４】
上記構成において、フィルタユニット１０２の上流側に配置された前面パネル１０１により、フィルタユニット１０２の保護の効果と、側面から吸込まれた空気が本体中心付近に向かうに従って減少するといった、流量に相当した前面パネル１０１とフィルタユニット１０２の隙間となり、この隙間の最小距離を小さくすることができる。さらに前面パネル１０１の面上に穴が多数空いていることにより、吸込み時の圧力損失も小さいため、前面パネル１０１とフィルタユニット１０２の隙間の最小距離をいっそう小さくすることができる。
【産業上の利用可能性】
【００５５】
本発明にかかる空気清浄装置は低圧損フィルタユニットを装着した場合に効率向上と騒音低減、本体の小型化に効果があり、フィルタユニットの取付け構造により、機内圧損の低減、しいては効率向上と騒音低減に効果のある一般家庭または業務用に使用される床置型の空気清浄装置として有用である。
【図面の簡単な説明】
【００５６】
【図１】本発明の実施の形態１の側断面図
【図２】同上断面図
【図３】同実施の形態２の側断面図
【図４】同上断面図
【図５】同フィルタユニット斜視図
【図６】同実施の形態３の側断面図
【図７】同上断面図
【図８】同フィルタユニット斜視図
【図９】同実施の形態４の側断面図
【図１０】同上断面図
【図１１】従来の空気清浄装置の側断面図
【符号の説明】
【００５７】
１  クロスフローファン
２  クロスフローファン軸
３  床面
４  壁取付け部材係合部
５  壁取付け部材
６  壁面
７  フィルタユニット支持部
１０１  前面パネル
１０２  フィルタユニット
１０３  モータ
１０４  シロッコファン
１０５  本体外郭
１０６  吸込面
１０７  吹出口
【図１】
2005098610.tif 000003
【図２】
2005098610.tif 000004
【図３】
2005098610.tif 000005
【図４】
2005098610.tif 000006
【図５】
2005098610.tif 000007
【図６】
2005098610.tif 000008
【図７】
2005098610.tif 000009
【図８】
2005098610.tif 000010
【図９】
2005098610.tif 000011
【図１０】
2005098610.tif 000012
【図１１】
2005098610.tif 000013